(57)【要約】  本発明は、移動体端末装置などにデータを配信して画像を表示させるために適したデータ配信システムおよびその方法を提供することを目的とする。Ｗｅｂページ配信サーバ５を介した移動体通信装置２からの要求に応じて、Ｗｅｂサーバ１２が、Ｗｅｂページ配信サーバ５に、図２に示した文書データを配信する。Ｗｅｂページ配信サーバ５が、配信された文書データの画像を作成し、作成した画像を複数の領域に分割し、分割領域データを作成する。Ｗｅｂページ配信サーバ５は、移動体通信装置２からの要求に応じて、作成した分割領域データの内、実際に表示される分だけを、順次、移動体通信装置２に配信する。移動体通信装置２は、Ｗｅｂページ配信サーバ５から配信される分割領域データを、順次、表示する。【特許請求の範囲】
【請求項１】
アクセスの対象となる対象データを配信する対象データ配信装置と、
前記配信された対象データの内容の表示に用いられる表示データを配信する表示データ配信装置と、
前記配信された表示データを、所定の広さの表示画面に表示するデータ表示装置と
を有するデータ配信システムであって、
前記表示データ配信装置は、
前記対象データ配信装置により配信され、前記データ表示装置にその内容が表示される前記対象データを受信する対象データ受信手段と、
前記受信された対象データの内容を、前記表示画面の広さに応じて、複数の分割領域に分割する分割手段と、
前記分割により得られた複数の分割領域それぞれの表示に用いられる前記表示データを作成する表示データ作成手段と、
前記表示画面に表示される前記表示データを、前記データ表示装置に配信する表示データ配信手段と
を有し、
前記データ表示装置は、
前記表示データ配信装置により配信された表示データを受信する表示データ受信手段と、
前記受信された表示データを、前記表示画面に表示するデータ表示手段と
を有する
データ配信システム。
【請求項２】
アクセスの対象となる対象データの内容の表示に用いられる表示データを配信し、所定の広さの表示画面に表示させるデータ配信装置であって、
アクセスされ、前記表示画面にその内容が表示される前記対象データを受信する対象データ受信手段と、
前記受信された対象データの内容を、前記表示画面の広さに応じて、複数の分割領域に分割する分割手段と、
前記分割により得られた複数の分割領域それぞれの表示に用いられる前記表示データを作成する表示データ作成手段と、
前記生成された表示データを、前記データ表示装置に配信する表示データ配信手段と
を有するデータ配信装置。
【請求項３】
前記分割領域は、前記表示画像よりも広い
請求の範囲第２項に記載のデータ配信装置。
【請求項４】
前記対象データの内容は、画像として表示されうるコンテンツデータを含み、前記データ表示装置は、前記分割領域に内容として含まれるコンテンツデータの画像を、このコンテンツデータの画像が、前記対象データに含まれるコンテンツデータから得られる画像において占める位置を示す分割領域位置データに従って、前記表示画面に表示し、
前記分割手段は、前記コンテンツデータの画像を、前記表示画面の広さに応じて、前記複数の分割領域に分割し、
前記表示データ生成手段は、前記分割により得られた分割領域の画像を示す画像データと、この分割領域の前記分割領域位置データとを含む前記表示データを生成し、
前記表示データ配信手段は、前記生成された表示データの内、前記表示画面に表示される前記表示データを、順次、前記データ表示装置に配信する
請求の範囲第２項に記載のデータ配信装置。
【請求項５】
前記表示データ生成手段は、前記分割により得られた分割領域の画像を、バイナリ形式で示す画像データを含む前記表示データを生成する
請求の範囲第４項に記載のデータ配信装置。
【請求項６】
前記対象データは、前記コンテンツデータの画像内の表示領域に対応付けられて表示されうる表示領域データをさらに含み、前記データ表示装置は、前記分割領域に含まれる画像に含まれる表示領域に対応付けられた表示領域データを、この分割領域に含まれる画像における表示領域の位置を示す表示領域位置データに従って、前記表示画面にさらに表示し、
前記表示データ生成手段は、前記分割領域に含まれる画像に含まれる表示領域に対応付けられた表示領域データと、この分割領域に含まれる画像における表示領域の位置を示す表示領域位置データとを含む前記表示データを生成する
請求の範囲第４項に記載のデータ配信装置。
【請求項７】
前記表示領域データは、前記データ表示装置からアクセスされうるリソースのＵＲＬである
請求の範囲第６項に記載のデータ配信装置。
【請求項８】
前記対象データは、前記データ表示装置からＵＲＬによりアクセスされうるリソースから配信される文書データである
請求の範囲第７項に記載のデータ配信装置。
【請求項９】
アクセスの対象となる対象データの内容の表示に用いられる表示データの配信を受けて、所定の広さの表示画面に表示するデータ表示装置であって、前記表示データは、前記対象データの内容を、前記表示画面の広さに応じて分割することにより得られた複数の分割領域のいずれかの表示に用いられ、
前記配信された表示データを受信する表示データ受信手段と、
前記受信された表示データを、前記表示画面に表示するデータ表示手段と
を有するデータ表示装置。
【請求項１０】
前記分割領域は、前記表示画像よりも広い
請求の範囲第９項に記載のデータ表示装置。
【請求項１１】
前記対象データは、前記表示画面に画像として表示されうるコンテンツデータを含み、前記表示データは、前記分割領域に内容として含まれるコンテンツデータの画像を示す画像データと、このコンテンツデータの画像が、前記対象データに含まれるコンテンツデータから得られる画像において占める位置を示す分割領域位置データとを含み、前記表示画面に表示される前記表示データが、順次、配信され、
前記表示データ受信手段は、前記配信された表示データを、順次、受信し、
前記データ表示手段は、前記受信された表示データに含まれる分割領域の画像データが示す画像を、この分割領域の位置を示す分割領域位置データに従って、前記表示画面に表示する
請求の範囲第９項に記載のデータ表示装置。
【請求項１２】
前記表示データに含まれる分割領域の画像データの内容は、第１の形式であり、
前記第１の形式の画像データの内容を、前記第１の形式とは異なる第２の形式の画像データに変換する変換手段
をさらに有し、
前記データ表示手段は、前記変換の結果として得られた第２の形式の画像データを、前記表示画面に表示する
請求の範囲第１１項に記載のデータ表示装置。
【請求項１３】
前記第１の形式は、バイナリ形式であり、
前記第２の形式は、ＪＰＥＧ形式およびＧＩＦ形式またはこれらのいずれかである
請求の範囲第１２項に記載のデータ表示装置。
【請求項１４】
前記表示データは、前記分割領域に含まれる画像データが示す画像に含まれる表示領域に対応付けられた表示領域データと、この分割領域に含まれる画像データが示す画像における分割領域の位置を示す表示領域位置データとをさらに含み、
前記データ表示手段は、前記分割領域に含まれる画像データが示す画像に含まれる表示領域に対応付けられた表示領域データを、この分割領域に含まれる画像データが示す画像における表示領域の位置を示す表示領域位置データに従って、前記表示画面にさらに表示する
請求の範囲第１１項に記載のデータ表示装置。
【請求項１５】
前記表示領域データは、前記データ表示装置からアクセスされうるリソースのＵＲＬである
請求の範囲第１４項に記載のデータ表示装置。
【請求項１６】
前記対象データは、前記データ表示装置からＵＲＬによりアクセスされうるリソースから配信される文書データである
請求の範囲第１１項に記載のデータ表示装置。
【請求項１７】
アクセスの対象となる対象データの内容の表示に用いられる表示データを配信し、所定の広さの表示画面に表示させるデータ配信方法であって、
アクセスされ、前記データ表示装置にその内容が表示される前記対象データを受信し、
前記受信された対象データの内容を、前記表示画面の広さに応じて、複数の分割領域に分割し、
前記分割により得られた複数の分割領域それぞれの表示に用いられる前記表示データを作成し、
前記生成された表示データを、前記データ表示装置に配信する
データ配信方法。
【請求項１８】
アクセスの対象となる対象データの内容の表示に用いられる表示データの配信を受けて、所定の広さの表示画面に表示するデータ表示方法であって、前記表示データは、前対象データの内容を、前記表示画面の広さに応じて分割することにより得られた複数の分割領域のいずれかの表示に用いられ、
前記配信された表示データを受信し、
前記受信された表示データを、前記表示画面に表示する
データ表示方法。
【請求項１９】
アクセスの対象となる対象データの内容の表示に用いられる表示データを配信し、所定の広さの表示画面に表示させるプログラムであって、
アクセスされ、前記データ表示装置にその内容が表示される前記対象データを受信するステップと、
前記受信された対象データの内容を、前記表示画面の広さに応じて、複数の分割領域に分割するステップと、
前記分割により得られた複数の分割領域それぞれの表示に用いられる前記表示データを作成するステップと、
前記生成された表示データを、前記データ表示装置に配信するステップと
をコンピュータに実行させるプログラム。
【請求項２０】
アクセスの対象となる対象データの内容の表示に用いられる表示データの配信を受けて、所定の広さの表示画面に表示するプログラムであって、前記表示データは、前対象データの内容を、前記表示画面の広さに応じて分割することにより得られた複数の分割領域のいずれかの表示に用いられ、
前記配信された表示データを受信するステップと、
前記受信された表示データを、前記表示画面に表示するステップと
をコンピュータに実行させるプログラム。
【発明の詳細な説明】
【技術分野】
【０００１】
本発明は、Ｗｅｂデータの配信などに用いられるデータ配信システムおよびその方法に関する。
【背景技術】
【０００２】
例えば、特許文献１は、ＨＴＭＬデータの画像を分割して表示する方法を開示する。
また、特許文献２は、移動体端末装置（携帯端末装置）にＨＴＭＬデータの画像（ＨＴＭＬ画像）を表示する方法を開示する。
しかしながら、特許文献１に開示された方法は、移動体端末装置に対するＨＴＭＬ画像の表示を考慮しておらず、また、ＨＴＭＬ画像を表示する装置における処理の負担が大きいので、表示画面が小さく、また、ＣＰＵの演算速度およびメモリ容量が、据え置き型のコンピュータに比べて十分でない移動体端末装置へのＨＴＭＬ画像の表示には適していない。
また、特許文献２に開示された方法は、画像を表示する装置において、ＨＴＭＬデータを処理して画像を作成する必要があるので、例えば、ある外国語用のフォントデータを有していない移動体端末装置に、その外国語で記述された情報を表示することはできない。
【特許文献１】特開２００１−１１７５５０号公報
【特許文献２】特開２００２−５５９１２号公報
【発明の開示】
【発明が解決しようとする課題】
【０００３】
本発明は、上述の背景からなされたものであり、表示画面が小さく、演算能力およびメモリ容量などが十分でない移動体端末装置などにデータを配信して画像を表示させるために適したデータ配信システムおよびその方法を提供することを目的とする。
また、本発明は、配信したデータに含まれる任意の画像を、画像を表示する装置に、それが備えているデータおよび能力により制限を受けずに、表示させることができるデータ配信装置およびその方法を提供することを目的とする。
【課題を解決するための手段】
【０００４】
上記目的を達成するために、本発明にかかるデータ配信システムは、アクセスの対象となる対象データを配信する対象データ配信装置と、前記配信された対象データの内容の表示に用いられる表示データを配信する表示データ配信装置と、前記配信された表示データを、所定の広さの表示画面に表示するデータ表示装置とを有するデータ配信システムであって、前記表示データ配信装置は、前記対象データ配信装置により配信され、前記データ表示装置にその内容が表示される前記対象データを受信する対象データ受信手段と、前記受信された対象データの内容を、前記表示画面の広さに応じて、複数の分割領域に分割する分割手段と、前記分割により得られた複数の分割領域それぞれの表示に用いられる前記表示データを作成する表示データ作成手段と、前記表示画面に表示される前記表示データを、前記データ表示装置に配信する表示データ配信手段とを有し、前記データ表示装置は、前記表示データ配信装置により配信された表示データを受信する表示データ受信手段と、前記受信された表示データを、前記表示画面に表示するデータ表示手段とを有する。【０００５】
また、本発明にかかるデータ配信装置は、アクセスの対象となる対象データの内容の表示に用いられる表示データを配信し、所定の広さの表示画面に表示させるデータ配信装置であって、アクセスされ、前記表示画面にその内容が表示される前記対象データを受信する対象データ受信手段と、前記受信された対象データの内容を、前記表示画面の広さに応じて、複数の分割領域に分割する分割手段と、前記分割により得られた複数の分割領域それぞれの表示に用いられる前記表示データを作成する表示データ作成手段と、前記生成された表示データを、前記データ表示装置に配信する表示データ配信手段とを有する。【０００６】
好適には、前記分割領域は、前記表示画像よりも広い。【０００７】
好適には、前記対象データの内容は、画像として表示されうるコンテンツデータを含み、前記データ表示装置は、前記分割領域に内容として含まれるコンテンツデータの画像を、このコンテンツデータの画像が、前記対象データに含まれるコンテンツデータから得られる画像において占める位置を示す分割領域位置データに従って、前記表示画面に表示し、前記分割手段は、前記コンテンツデータの画像を、前記表示画面の広さに応じて、前記複数の分割領域に分割し、前記表示データ生成手段は、前記分割により得られた分割領域の画像を示す画像データと、この分割領域の前記分割領域位置データとを含む前記表示データを生成し、前記表示データ配信手段は、前記生成された表示データの内、前記表示画面に表示される前記表示データを、順次、前記データ表示装置に配信する。【０００８】
好適には、前記表示データ生成手段は、前記分割により得られた分割領域の画像を、バイナリ形式で示す画像データを含む前記表示データを生成する。【０００９】
好適には、前記対象データは、前記コンテンツデータの画像内の表示領域に対応付けられて表示されうる表示領域データをさらに含み、前記データ表示装置は、前記分割領域に含まれる画像に含まれる表示領域に対応付けられた表示領域データを、この分割領域に含まれる画像における表示領域の位置を示す表示領域位置データに従って、前記表示画面にさらに表示し、前記表示データ生成手段は、前記分割領域に含まれる画像に含まれる表示領域に対応付けられた表示領域データと、この分割領域に含まれる画像における表示領域の位置を示す表示領域位置データとを含む前記表示データを生成する。【００１０】
好適には、前記表示領域データは、前記データ表示装置からアクセスされうるリソースのＵＲＬである。【００１１】
好適には、前記対象データは、前記データ表示装置からＵＲＬによりアクセスされうるリソースから配信される文書データである。【００１２】
また、本発明にかかるデータ表示装置は、アクセスの対象となる対象データの内容の表示に用いられる表示データの配信を受けて、所定の広さの表示画面に表示するデータ表示装置であって、前記表示データは、前記対象データの内容を、前記表示画面の広さに応じて分割することにより得られた複数の分割領域のいずれかの表示に用いられ、前記配信された表示データを受信する表示データ受信手段と、前記受信された表示データを、前記表示画面に表示するデータ表示手段とを有する。【００１３】
好適には、前記分割領域は、前記表示画像よりも広い。【００１４】
好適には、前記対象データは、前記表示画面に画像として表示されうるコンテンツデータを含み、前記表示データは、前記分割領域に内容として含まれるコンテンツデータの画像を示す画像データと、このコンテンツデータの画像が、前記対象データに含まれるコンテンツデータから得られる画像において占める位置を示す分割領域位置データとを含み、前記表示画面に表示される前記表示データが、順次、配信され、前記表示データ受信手段は、前記配信された表示データを、順次、受信し、前記データ表示手段は、前記受信された表示データに含まれる分割領域の画像データが示す画像を、この分割領域の位置を示す分割領域位置データに従って、前記表示画面に表示する。【００１５】
好適には、前記表示データに含まれる分割領域の画像データの内容は、第１の形式であり、前記第１の形式の画像データの内容を、前記第１の形式とは異なる第２の形式の画像データに変換する変換手段をさらに有し、前記データ表示手段は、前記変換の結果として得られた第２の形式の画像データを、前記表示画面に表示する。【００１６】
好適には、前記第１の形式は、バイナリ形式であり、前記第２の形式は、ＪＰＥＧ形式およびＧＩＦ形式またはこれらのいずれかである。【００１７】
好適には、前記表示データは、前記分割領域に含まれる画像データが示す画像に含まれる表示領域に対応付けられた表示領域データと、この分割領域に含まれる画像データが示す画像における分割領域の位置を示す表示領域位置データとをさらに含み、前記データ表示手段は、前記分割領域に含まれる画像データが示す画像に含まれる表示領域に対応付けられた表示領域データを、この分割領域に含まれる画像データが示す画像における表示領域の位置を示す表示領域位置データに従って、前記表示画面にさらに表示する。【００１８】
好適には、前記表示領域データは、前記データ表示装置からアクセスされうるリソースのＵＲＬである。【００１９】
好適には、前記対象データは、前記データ表示装置からＵＲＬによりアクセスされうるリソースから配信される文書データである。【００２０】
また、本発明にかかるデータ配信方法は、アクセスの対象となる対象データの内容の表示に用いられる表示データを配信し、所定の広さの表示画面に表示させるデータ配信方法であって、アクセスされ、前記データ表示装置にその内容が表示される前記対象データを受信し、前記受信された対象データの内容を、前記表示画面の広さに応じて、複数の分割領域に分割し、前記分割により得られた複数の分割領域それぞれの表示に用いられる前記表示データを作成し、前記生成された表示データを、前記データ表示装置に配信する。【００２１】
また、本発明にかかるデータ表示方法は、アクセスの対象となる対象データの内容の表示に用いられる表示データの配信を受けて、所定の広さの表示画面に表示するデータ表示方法であって、前記表示データは、前対象データの内容を、前記表示画面の広さに応じて分割することにより得られた複数の分割領域のいずれかの表示に用いられ、前記配信された表示データを受信し、前記受信された表示データを、前記表示画面に表示する。【００２２】
また、本発明にかかる第１のプログラムは、アクセスの対象となる対象データの内容の表示に用いられる表示データを配信し、所定の広さの表示画面に表示させるプログラムであって、アクセスされ、前記データ表示装置にその内容が表示される前記対象データを受信するステップと、前記受信された対象データの内容を、前記表示画面の広さに応じて、複数の分割領域に分割するステップと、前記分割により得られた複数の分割領域それぞれの表示に用いられる前記表示データを作成するステップと、前記生成された表示データを、前記データ表示装置に配信するステップとをコンピュータに実行させる。【００２３】
また、本発明にかかる第２のプログラムは、アクセスの対象となる対象データの内容の表示に用いられる表示データの配信を受けて、所定の広さの表示画面に表示するプログラムであって、前記表示データは、前対象データの内容を、前記表示画面の広さに応じて分割することにより得られた複数の分割領域のいずれかの表示に用いられ、前記配信された表示データを受信するステップと、前記受信された表示データを、前記表示画面に表示するステップとをコンピュータに実行させる。
【発明の効果】
【００２４】
本発明によれば、表示画面が小さく、演算能力およびメモリ容量などが十分でない移動体端末装置などにデータを配信して画像を表示させるために適したデータ配信システムおよびその方法が提供される。
また、本発明によれば、配信したデータに含まれる任意の画像を、画像を表示する装置に、それが備えているデータおよび能力により制限を受けずに、表示させることができるデータ配信装置およびその方法が提供される。
【図面の簡単な説明】
【００２５】
【図１】本発明にかかるデータ配信方法が適応されるネットワークシステムの構成を例示する図である。
【図２】図１に示したＷｅｂサーバが配信する文書データ、Ｗｅｂページ配信サーバが作成するＷｅｂデータ、および、Ｗｅｂページ配信サーバが配信する分割領域データを例示する図である。
【図３】図１に示した移動体通信装置、ＷｅｂサーバおよびＷｅｂページ配信サーバのハードウエアを例示する図である。
【図４】図１に示した移動体通信装置の入出力部（図３）を例示する図である。
【図５】図１に示したＷｅｂページ配信サーバにおいて動作するＷｅｂページ配信プログラムを示す図である。
【図６】図５に示したＷｅｂページ配信プログラムの分割領域データ作成部が作成する分割領域（ｉ，ｊ）の分割領域データ（ｉ，ｊ）を示す図である。
【図７】図５に示したＷｅｂページ配信プログラムのＷｅｂデータ管理部が管理するＷｅｂページデータおよびその配信データを示す図である。
【図８】図１に示した移動体通信装置の液晶表示部に表示された画像の表示範囲の移動と、表示された画像に含まれるリンクの選択とを例示する図である。
【図９】図１に示した移動体通信装置において実行され、液晶表示部（図４）に、分割領域データ（図２，図６）を表示するビューワプログラムを示す図である。
【図１０】図９に示したビューワプログラムの擬似画像データ作成部により作成される擬似画像データを示す図である。
【図１１】図１に示したネットワークシステムの全体的な動作（Ｓ１０）を示す通信シーケンス図である。
【発明を実施するための最良の形態】
【００２６】
以下、本発明の実施形態を説明する。【００２７】
［ネットワークシステム］
図１は、本発明にかかるデータ配信方法が適応されるネットワークシステム１の構成を例示する図である。
図１に示すように、ネットワークシステム１は、インターネット１０と、移動体通信システム１４とが相互に通信可能に接続されて構成される。
移動体通信システム１４は、ＰＤＡおよび携帯電話などの移動体通信装置２−１〜２−ｌとの間で通信を行う移動体基地局１４２−１〜１４２−ｌと、Ｗｅｂページ配信サーバ５とが、移動体ネットワーク１４０を介して接続されて構成される。
インターネット１０は、Ｗｅｂページ配信サーバ５に文書データを配信するＷｅｂサーバ１２−１〜１２−ｌ（ｌ≧１の整数（以下のａ，ｂ，ｍ、ｎなどについて同じ）、但し、全てのｌが同じ数とは限らない）など、情報処理・情報通信の主体となりうるノードが、ネットワーク１００を介して接続されて構成される。
なお、Ｗｅｂサーバ１２−１〜１２−ｌなど、複数ある構成部分を、いずれか特定せずに示すときには、単にＷｅｂサーバ１２とも記す。【００２８】
図２は、図１に示したＷｅｂサーバ１２が配信する文書データ、Ｗｅｂページ配信サーバ５が作成するＷｅｂデータ、および、Ｗｅｂページ配信サーバ５が配信する分割領域データを例示する図である。
文書データは、一般に、ＨＴＭＬ(HyperText Markup Language)により記述され、Ｗｅｂサーバ１２からＷｅｂページ配信サーバ５に、ＨＴＴＰ(HyperText Transfer Protocol)により配信される。
図２に示すように、この文書データには、
（ａ）テキストデータおよびＪＰＥＧ形式・ＧＩＦ形式など、画像として移動体通信装置２に表示されうるデータ（以下、画像として表示されうるデータ一般を、コンテンツデータと総称する）、および、
（ｂ）文書データからリンクされているインターネット１０のリソースのロケーション（例えばＵＲＬ; Universal Resource Locator）など
が含まれる。
１つの文書データに含まれるコンテンツデータは、図２に示すように、一般に、一枚のＷｅｂページの画像として表示され得る。
この画像には、リンクを表示するための領域が設けられ、この領域にはリンク先のＵＲＬなどが埋め込まれて、ユーザによるリンク先のデータの参照などの用に供される。【００２９】
ネットワークシステム１においては、以下（１）〜（４）に示すような手順で、Ｗｅｂページ配信サーバ５から移動体通信装置２にデータが配信され、表示される。
（１）Ｗｅｂページ配信サーバ５を介した移動体通信装置２（データ表示装置）からの要求に応じて、Ｗｅｂサーバ１２（対象データ配信装置）が、Ｗｅｂページ配信サーバ５（表示データ配信装置）に、図２に示した文書データを配信する。
（２）Ｗｅｂページ配信サーバ５が、配信された文書データの画像を作成し、作成した画像を複数の領域（分割領域）に分割し、分割領域データ（表示データ）を作成する。
（３）Ｗｅｂページ配信サーバ５は、移動体通信装置２からの要求に応じて、作成した分割領域データの内、実際に表示される分だけを、順次、移動体通信装置２に配信する。
（４）移動体通信装置２は、Ｗｅｂページ配信サーバ５から配信される分割領域データを、順次、表示する。【００３０】
なお、分割領域データそれぞれには、
（ａ）その分割領域内の画像のデータ（画像データ）、
（ｂ）その分割領域内に含まれるリンクに付されたＵＲＬなど（表示領域データ）、
（ｃ）文書データの画像全体におけるその分割領域の位置を座標で示し、その表示に用いられるデータ（分割領域位置データ）、および、
（ｄ）文書データの画像全体あるいはその分割領域それぞれにおけるリンクの表示位置を座標で示し、その表示に用いられるデータ（表示領域位置データ）
などが含まれる。【００３１】
［ハードウエア］
次に、ネットワークシステム１の各ノードのハードウエアを説明する。
図３は、図１に示した移動体通信装置２、Ｗｅｂサーバ１２およびＷｅｂページ配信サーバ５のハードウエアを例示する図である。
図３に示すように、移動体通信装置２、Ｗｅｂサーバ１２およびＷｅｂページ配信サーバ５は、ＣＰＵ１６２・メモリ１６４などを含む本体１６０、キーボード・表示装置などを含む入出力部１６６、他のノードとの通信を行う通信装置１６８、および、ＣＤ装置・ハードディスク装置など記録媒体１７２に対するデータの記憶・再生を行う記録装置１７０などから構成される。
つまり、移動体通信装置２、Ｗｅｂサーバ１２およびＷｅｂページ配信サーバ５は、他のノードと通信可能なコンピュータとしての構成部分を含んでいる。【００３２】
図４は、図１に示した移動体通信装置２の入出力部１６６（図３）を例示する図である。
移動体通信装置２は、例えば、携帯電話であって、図４に示すように、画面の広さｃ画素×ｄ画素の液晶表示部２００、テンキーなどの操作用ボタン２０２、および、方向選択ボタン２１２と中心ボタン２１４とを含む移動／モード切り替えボタン２１０などを、その入出力部１６６として含む。
なお、液晶表示部２００のサイズは、据え置き型のコンピュータの表示装置のサイズと比較すると、一般に、非常に小さい。【００３３】
［ソフトウエア］
次に、ネットワークシステム１の各ノードのソフトウエアを説明する。
以下の各図に示すプログラムは、例えば、記録媒体１７２（図３）を介して各ノードに供給され、メモリ１６４にロードされ、各ノード上で動作するＯＳ（図示せず）上で、ハードウエアを具体的に利用して実行される。【００３４】
［Ｗｅｂページ配信プログラム５０］
図５は、図１に示したＷｅｂページ配信サーバ５において動作するＷｅｂページ配信プログラム５０を示す図である。
図５に示すように、Ｗｅｂページ配信プログラム５０は、ＵＲＬ受入部５００、文書データ取得部５０２、画像作成部５０４、リンクデータ作成部５１０、画像分割部５１２、バイナリ画像データ作成部５１４、座標データ作成部５１６−１，５１６−２、分割領域データ作成部５１８、Ｗｅｂデータ管理部５２０、Ｗｅｂデータデータベース（ＷｅｂデータＤＢ）５２２、分割領域データ要求受入部５３０および分割領域データ配信部５３２から構成される。
Ｗｅｂページ配信プログラム５０は、これらの構成部分により、Ｗｅｂサーバ１２から配信された文書データの画像を生成し、この画像を、移動体通信装置２の液晶表示部２００（図４）の広さに応じて複数の分割領域に分割し、液晶表示部２００における文書データの画像表示に実際に用いられる分割領域の画像およびそれに含まれるＵＲＬを、移動体通信装置２に順次、配信する。【００３５】
Ｗｅｂページ配信プログラム５０において、ＵＲＬ受入部５００は、ＵＲＬの入力あるいは移動体通信装置２に表示されたリンクの選択など、ユーザの移動体通信装置２に対する操作に応じて移動体通信装置２から送られてくるユーザ所望のＵＲＬと、このＵＲＬが示すリソースからの文書データ取得の要求と、文書データの取得を要求した移動体通信装置２のアドレスとを受け入れる。
ＵＲＬ受入部５００は、受け入れたＵＲＬ、文書データ取得の要求および移動体通信装置２のアドレスを、文書データ取得部５０２に対して出力する。
また、ＵＲＬ受入部５００は、受け入れたＵＲＬおよび文移動体通信装置２のアドレスを、Ｗｅｂデータ管理部５２０に対して出力する。
文書データ取得部５０２は、ＵＲＬ受入部５００から入力されるＵＲＬが示すリソースの文書データの配信をＷｅｂサーバ１２に対して要求する。
文書データ取得部５０２は、この要求に応じてＷｅｂサーバ１２から返される文書データ（図２）を取得し、画像作成部５０４およびリンクデータ作成部５１０に対して出力する。【００３６】
画像作成部５０４は、文書データ取得部５０２から入力された文書データを解釈し、コンテンツデータの画像（Ｗｅｂページの画像；図２）を示す画像データを作成する。
画像作成部５０４には、様々な言語のフォントデータなど、文書データの表示のために用いられるデータが記憶されており、画像作成部５０４は、記憶したこのようなデータを、文書データの内容に応じて、適宜、選択して、文書データの解釈のために用いることにより、様々な言語の文書データに対応する。
画像作成部５０４は、作成した画像データを、画像分割部５１２、バイナリ画像データ作成部５１４および座標データ作成部５１６−１，５１６−２に対して出力する。【００３７】
リンクデータ作成部５１０は、文書データ取得部５０２から入力された文書データに含まれるリンク＃１〜＃ｋ（図２）それぞれのＵＲＬと、その表示範囲を、座標の形式で示す表示範囲データとを抽出する。
この表示範囲データは、例えば、リンク＃１〜＃ｋの表示範囲を、表示範囲の左上の画素と右下の画素との文書データの画像における位置を、座標の形式（ｘ１画素，ｙ１画素），（ｘ１’画素，ｙ１’画素）〜（ｘｋ画素，ｙｋ画素），（ｘｋ’画素，ｙｋ’画素））で示す。
リンクデータ作成部５１０は、抽出したＵＲＬと表示位置データとを対応付けて、リンクデータを作成し、座標データ作成部５１６−２に対して出力する。【００３８】
画像分割部５１２は、画像作成部５０４から入力された画像データを、移動体通信装置２の液晶表示部２００（図４）への表示に適した大きさ（ａ画素×ｂ画素）のｍ×ｎ個の領域（分割領域（０，０）〜（ｍ−１，ｎ−１））に分割し、分割領域（０，０）〜（ｍ−１，ｎ−１）それぞれの画像を示す画像データを作成し、バイナリ画像データ作成部５１４に対して出力する。
なお、分割領域の大きさ（ａ画素×ｂ画素）は、ある分割領域のデータを移動体通信装置２に送って液晶表示部２００に表示させた後、表示範囲が多少、変更されたとしても、直ちに隣接する分割領域のデータを送らなくて済むように、液晶表示部２００の広さ（ｃ画素×ｄ画素）に対して、多少の余裕あると好適である（ａ≧ｃ，ｂ≧ｄ）。【００３９】
バイナリ画像データ作成部５１４は、画像分割部５１２から入力された分割領域（０，０）〜（ｍ−１，ｎ−１）それぞれの画像データを、バイナリ形式に変換し、バイナリ画像データ（０，０）〜（ｍ−１，ｎ−１）を作成する。
バイナリ画像データ作成部５１４は作成したバイナリ画像データ（０，０）〜（ｍ−１，ｎ−１）を、分割領域データ作成部５１８に対して出力する。【００４０】
座標データ作成部５１６−１は、画像作成部５０４から入力される文書データ全体の画像データと、画像分割部５１２から入力される分割領域（０，０）〜（ｍ−１，ｎ−１）それぞれの画像データとを処理して、分割領域（０，０）〜（ｍ−１，ｎ−１）それぞれに含まれる画像が、文書データ全体の画像において、どのような位置を占めているかを示す分割領域位置データを作成する。
分割領域（０，０）〜（ｍ−１，ｎ−１）の分割領域位置データは、例えば、分割領域（０，０）〜（ｍ−１，ｎ−１）の画像の位置を、これらの左上の画素の文書データ全体の画像における位置として、座標の形式（（０画素，０画素）〜（（ｍ−１）ｘａ＋１画素，（ｎ−１）×ｂ＋１画素））で示す。
なお、全ての移動体通信装置２において、分割領域の大きさが既知であるときには、座標データ作成部５１６−２は、分割領域（０，０）〜（ｍ−１，ｎ−１）それぞれの座標データとして、これらに付された配列データ（０，０）〜（ｍ−１，ｎ−１）を示せば足りる。
座標データ作成部５１６−１は、作成した分割領域位置データを、分割領域データ作成部５１８および座標データ作成部５１６−２に対して出力する。【００４１】
座標データ作成部５１６−２は、リンクデータ作成部５１０から入力されるリンクデータに含まれる表示範囲データ（（ｘ１画素，ｙ１画素），（ｘ１’画素，ｙ１’画素）〜（ｘｋ画素，ｙｋ画素），（ｘｋ’画素，ｙｋ’画素））と、座標データ作成部５１６−１から入力される分割領域位置データ（（０画素，０画素）〜（（ｍ−１）ｘａ＋１画素，（ｎ−１）×ｂ＋１画素））とを処理し、いずれの分割領域に、いずれのリンクが表示されるかを判定し、さらに、分割領域（０，０）〜（ｍ−１，ｎ−１）それぞれにおけるリンクの表示範囲を、例えば座標の形式で示す表示範囲データを作成する。
座標データ作成部５１６は、分割領域（０，０）〜（ｍ−１，ｎ−１）それぞれに表示されるＵＲＬと、分割領域（０，０）〜（ｍ−１，ｎ−１）それぞれにおける各ＵＲＬの表示範囲を示す表示範囲データとを対応付けて、分割領域（０，０）〜（ｍ−１，ｎ−１）それぞれのリンクデータ（０，０）〜（ｍ−１，ｎ−１）を作成する。
座標データ作成部５１６−２は、作成したリンクデータ（０，０）〜（ｍ−１，ｎ−１）を、分割領域データ作成部５１８に対して出力する。【００４２】
図６は、図５に示したＷｅｂページ配信プログラム５０の分割領域データ作成部５１８が作成する分割領域（ｉ，ｊ）の分割領域データ（ｉ，ｊ）を示す図である。
分割領域データ作成部５１８は、バイナリ画像データ作成部５１４から入力される分割領域（ｉ，ｊ；ｉ＝０〜ｍ−１，ｊ＝０〜ｎ−１）のバイナリ画像データ（ｉ，ｊ）と、分割領域（ｉ，ｊ）の分割領域位置データ（ｉ，ｊ；（ｉ−１）ｘａ＋１画素，（ｊ−１）×ｂ＋１画素）と、分割領域（ｉ，ｊ）のリンクデータ（ｉ，ｊ）とを対応付けて、分割領域（ｉ，ｊ）の分割領域データ（ｉ，ｊ）を作成する。
分割領域データ作成部５１８は、作成した分割領域データ（ｉ，ｊ）を、Ｗｅｂデータ管理部５２０に対して出力する。【００４３】
図７は、図５に示したＷｅｂページ配信プログラム５０のＷｅｂデータ管理部５２０が管理するＷｅｂページデータおよびその配信データを示す図である。
Ｗｅｂデータ管理部５２０は、分割領域データ作成部５１８から入力される分割領域（ｉ，ｊ）の分割領域データ（ｉ，ｊ）を、ＷｅｂデータＤＢ５２２に記憶する。
ＷｅｂデータＤＢ５２２には、分割領域（０，０）〜（ｍ−１，ｎ−１）の分割領域データ（０，０）〜（ｍ−１，ｎ−１）が記憶され、分割領域データ（０，０）〜（ｍ−１，ｎ−１）は、全体として、図２にも示したように、１つの文書データの画像を表示するためのＷｅｂページデータを構成する。
なお、ＷｅｂデータＤＢ５２２は、Ｗｅｂサーバ１２から配信される文書データ＃１〜＃ｕそれぞれについて作成されたＷｅｂページデータを記憶する。【００４４】
さらに、Ｗｅｂデータ管理部５２０は、ＷｅｂデータＤＢ５２２に記憶されたＷｅｂページデータそれぞれに、どのような構成で分割領域データが含まれるか（分割領域の配列）、文書データのＵＲＬおよびこの文書データの取得を要求した移動体通信装置２のアドレスなど、移動体通信装置２に対する分割領域データの配信のために必要とされる情報（位置データ、画像データおよびリンクデータ）を示す配信データを作成し、図７に示したように、ＷｅｂデータＤＢ５２２に記憶する。
Ｗｅｂデータ管理部５２０は、Ｗｅｂページデータそれぞれについて、移動体通信装置２に対して最初に送るべき分割領域データ（ｉ，ｊ；多くの場合、分割領域データ（０，０））に、そのＷｅｂページデータの配信データを付して、分割領域データ配信部５３２に対して出力する。
また、Ｗｅｂデータ管理部５２０は、分割領域データ要求受入部５３０を介した移動体通信装置２からの要求に応じて、ＷｅｂデータＤＢ５２２に記憶したＷｅｂページデータから、移動体通信装置２の液晶表示部２００に実際に表示される分割領域データ（ｉ，ｊ）取り出して、分割領域データ配信部５３２に対して出力する。【００４５】
分割領域データ要求受入部５３０は、移動体通信装置２から、分割領域データの送信の要求、送信を要求する分割領域データを示すデータ、および、分割領域データの送信を要求した移動体通信装置２を示すデータを受け入れる。
分割領域データ要求受入部５３０は、移動体通信装置２から要求された分割領域データを示すデータを、Ｗｅｂデータ管理部５２０に対して出力して、この分割領域データを要求する。
また、分割領域データ要求受入部５３０は、送信が要求された分割領域データを示すデータと、分割領域データの送信を要求した移動体通信装置２を示すデータとを、分割領域データ配信部５３２に対して出力する。【００４６】
図８は、図１に示した移動体通信装置２の液晶表示部２００に表示された画像の表示範囲の移動と、表示された画像に含まれるリンクの選択とを例示する図である。
移動体通信装置２からの分割領域データの要求は、例えば、図８に示すように、ユーザが、画像の表示範囲を移動させたときなどに生じる。
つまり、例えば、移動体通信装置２の液晶表示部２００（図４）に、図２に示した分割領域（０，０）の画像が表示されているときに、ユーザが、移動体通信装置２の方向選択ボタン２１２（図４）を操作して、画像の表示範囲を、分割領域（１，０）の方向に移動させたために、分割領域（１，０）の画像を液晶表示部２００に表示する必要が生じたときに、移動体通信装置２は、Ｗｅｂページ配信サーバ５に対して、分割領域（１，０）の分割領域データ（１，０）の送信を要求する。
分割領域データ配信部５３２は、Ｗｅｂデータ管理部５２０から入力される分割領域データおよび配信データを、移動体通信装置２に対して、順次、配信する。【００４７】
［ビューワプログラム２２］
図９は、図１に示した移動体通信装置２において実行され、液晶表示部２００（図４）に、分割領域データ（図２，図６）を表示するビューワプログラム２２を示す図である。
図９に示すように、ビューワプログラム２２は、ユーザインターフェース部（ＵＩ部）２２０、ＵＲＬ送信部２２２、分割領域データ要求部２３０、分割領域データ受信部２３２、分割領域データ管理部２４０、分割領域データＤＢ２４２、表示領域管理部２５０、リンクデータ処理部２５２、ＪＰＥＧ画像作成部２５４、座標データ記憶部２５８−１，２５８−２、モード管理部２６０、ブラウズ制御部２６２、表示画像作成部２７０、擬似画像データ作成部２８０、擬似画像データ管理部２８２および擬似画像データＤＢ２８４から構成される。
ビューワプログラム２２は、これらの構成部分により、ユーザの操作に応じて、Ｗｅｂページ配信サーバ５を介したＷｅｂサーバ１２へのアクセス、および、Ｗｅｂページ配信サーバ５に対する分割領域データの配信要求を行い、この配信要求に応じて配信される分割領域データを、液晶表示部２００に表示する。【００４８】
図１０は、図９に示したビューワプログラム２２の擬似画像データ作成部２８０により作成される擬似画像データを示す図である。
ビューワプログラム２２において、ＵＩ部２２０は、移動体通信装置２の入出力部１６６（図４）に対する画像表示範囲の変更およびリンクの選択などのユーザの操作を受け入れ、受け入れた操作を示すデータを、ビューワプログラム２２の各構成部分に対して出力し、ビューワプログラム２２の各構成部分の動作を制御する。
また、ＵＩ部２２０は、表示画像作成部２７０から入力されるＪＰＥＧ画像、および、擬似画像データ管理部２８２から入力される擬似画像データ（図１０）を、液晶表示部２００に表示する。【００４９】
ＵＲＬ送信部２２２は、ユーザ所望のＵＲＬ、および、このＵＲＬが示す文書データ取得の要求を、ＵＩ部２２０およびリンクデータ処理部２５２から受け入れる。
ビューワプログラム２２１は、ユーザ所望のＵＲＬおよび文書データ取得の要求を、移動体通信装置２のアドレスとともに、Ｗｅｂページ配信サーバ５に対して送信する。
分割領域データ要求部２３０は、液晶表示部２００への画像の表示範囲の変更（図８）などに伴って必要とされる分割領域データの配信を、Ｗｅｂページ配信サーバ５に対して要求する。
分割領域データ受信部２３２は、Ｗｅｂページ配信サーバ５から配信される分割領域データおよび配信データ（図２，図６，図７）を受け入れ、受け入れた分割領域データおよび配信データを、分割領域データ管理部２４０に対して出力する。【００５０】
分割領域データ管理部２４０は、分割領域データ受信部２３２から入力される分割領域データおよび配信データを、分割領域データＤＢ２４２に記憶する。
分割領域データ管理部２４０は、要求に応じて、分割領域データＤＢ２４２に記憶した分割領域データおよび配信データを、必要に応じて、ビューワプログラム２２の他の構成部分に対して出力する。【００５１】
モード管理部２６０は、液晶表示部２００の移動／モード切り替えボタン２１０（図４）の中心ボタン２１４に対するユーザの操作に応じて、ビューワプログラム２２の各構成部分の動作を制御し、ビューワプログラム２２の動作モードを、ブラウズモードまたはリンクモード（図８）に切換える。
ビューワプログラム２２の動作モードは、例えば、ユーザが、中心ボタン２１４を押下するたびに、ブラウズモードからリンクモードへ、または、リンクモードからブラウズモードへと切換えられる。【００５２】
図８に示したように、ビューワプログラム２２がブラウズモードで動作しているときには、例えば、方向選択ボタン２１２に対する操作は、ＵＩ部２２０およびブラウズ制御部２６２などにより、液晶表示部２００の表示範囲の移動のための操作として処理される。
また、ビューワプログラム２２がリンクモードで動作しているときには、例えば、方向選択ボタン２１２の上下方向を選択する操作は、ＵＩ部２２０およびリンクデータ処理部２５２などにより、液晶表示部２００に表示されているリンク上のカーソル・ハイライトを、順番に選択するための操作として処理される。
また、ビューワプログラム２２がリンクモードで動作しているときには、方向選択ボタン２１２の左右方向を選択する操作は、ＵＩ部２２０およびリンクデータ処理部２５２などにより、その時点でカーソル・ハイライトが付されているリンクに付されたＵＲＬを選択するための操作、あるいは、ＵＲＬの選択を解除するための操作として処理される。【００５３】
座標データ記憶部２５８−１は、表示範囲管理部２５０から、既に配信された分割領域データそれぞれの分割領域位置データ（図７）を得て記憶し、表示範囲管理部２５０およびリンクデータ処理部２５２など、ビューワプログラム２２の他の構成部分の利用に供する。
座標データ記憶部２５８−２は、表示範囲管理部２５０から、既に配信された分割領域データそれぞれのリンクデータ（図７）に含まれる表示位置データを得て記憶し、表示範囲管理部２５０およびリンクデータ処理部２５２など、ビューワプログラム２２の他の構成部分の利用に供する。【００５４】
表示範囲管理部２５０は、ユーザによる方向選択ボタン２１２に対する操作に応じて、座標データ記憶部２５８−１，２５８−２に記憶された分割領域位置データおよび表示位置データを処理して、液晶表示部２００の表示範囲に、いずれの分割領域データに含まれるバイナリ画像データのいずれの部分が含まれるかを判定する。
また、表示範囲管理部２５０は、液晶表示部２００に表示される画像に、いずれのＵＲＬが、いずれの範囲に表示されるかを判定する。
表示範囲管理部２５０は、これらの判定結果を、リンクデータ処理部２５２、ＪＰＥＧ画像作成部２５４、ブラウズ制御部２６２および表示画像作成部２７０など、ビューワプログラム２２の他の構成部分に対して出力する。【００５５】
リンクデータ処理部２５２は、表示範囲管理部２５０による判定結果、および、図８を参照して上述したリンクモードにおけるユーザの操作に応じて、ＵＩ部２２０を制御し、液晶表示部２００の表示範囲に含まれるリンクに対するカーソルの表示、あるいは、リンクのハイライト表示をさせるための処理を行う。
また、リンクデータ処理部２５２は、リンクモードにおけるユーザの操作に応じて選択されたＵＲＬを、ＵＲＬ送信部２２２に対して出力する。
ＪＰＥＧ画像作成部２５４は、表示範囲管理部２５０などの判定結果などに応じて、液晶表示部２００に、新たな分割領域データが表示されることになったときに、その新たな分割領域データに含まれるバイナリ画像データを、ＪＰＥＧ形式に変換し、表示画像作成部２７０に対して出力する。【００５６】
ブラウズ制御部２６２は、表示範囲管理部２５０の判定結果などに応じて、図８を参照して上述したブラウズモードにおけるユーザの操作に応じて、ＵＩ部２２０および表示画像作成部２７０の動作を制御し、液晶表示部２００の表示範囲を移動させるための処理、および、液晶表示部２００に表示された画像の拡大あるいは縮小のための処理などを行わせる。
表示画像作成部２７０は、表示範囲管理部２５０の判定結果およびブラウズ制御部２６２の制御などに応じて、ＪＰＥＧ画像作成部２５４により作成されたＪＰＥＧ形式の画像データから、液晶表示部２００へ表示される範囲を取り出し、液晶表示部２００に表示する画像を作成する。【００５７】
ＪＰＥＧ画像作成部２５４は、新たに分割領域データが取得され、表示されるときだけに、バイナリ画像データをＪＰＥＧ形式の画像データに変換する。
この変換処理は、単なる液晶表示部２００における画像の移動、拡大あるいは縮小のための処理に比べて、処理量がかなり多い。
従って、ビューワプログラム２２において、単なる液晶表示部２００における画像の移動、拡大あるいは縮小が行われるときには、表示画像作成部２７０は、ブラウズ制御部２６２の制御に従って、ＪＰＥＧ画像作成部２５４により作成済みのＪＰＥＧ形式の画像データを用いる。
従って、ビューワプログラム２２によれば、単なる画像の移動などのときにもＪＰＥＧ形式の画像データの作成を行う場合に比べて、処理量および処理に伴う遅延が少なくて済むので、移動体通信装置２の操作性が向上する。【００５８】
擬似画像データ作成部２８０は、例えば、移動体通信装置２が、画像データのみの記憶管理を行いうる携帯電話であるときに、図１０に示したように、Ｗｅｂサーバ１２などから電子メールに添付されるなどして送られてきた１つ以上のコンテンツデータに、コンテンツデータの内容を示すサムネール画像データを付し、さらに、コンテンツデータを実行するための実行制御データを付して、擬似的に画像データとして扱いうる擬似画像データを作成する。
擬似画像データ作成部２８０は、作成した擬似画像データを、擬似画像データ管理部２８２に対して出力する。
擬似画像データ管理部２８２は、擬似画像データ作成部２８０から入力された擬似画像データを、擬似画像データＤＢ２８４に記憶する。
擬似画像データ管理部２８２は、擬似画像データＤＢ２８４に記憶した擬似画像データを、コンテンツデータの表示・出力のための操作に応じて、ＵＩ部２２０に対して出力する。【００５９】
［ネットワークシステム１の全体的な動作］
以下、ネットワークシステム１の全体的な動作を説明する。
図１１は、図１に示したネットワークシステム１の全体的な動作（Ｓ１０）を示す通信シーケンス図である。
図１１に示すように、ステップ１００（Ｓ１００）において、移動体通信装置２の入出力部１６６（図４）に対するユーザの操作が行われ、移動体通信装置２に、ユーザ所望のＵＲＬが入力される。
ステップ１０２（Ｓ１２０）において、移動体通信装置２は、Ｗｅｂページ配信サーバ５に対して、入力されたＵＲＬなどを送信する。【００６０】
ステップ１１０（Ｓ１１０）において、Ｗｅｂページ配信サーバ５は、ＵＲＬにより示される文書データあるいはそのコンテンツデータの配信を、Ｗｅｂサーバ１２に対して要求する。
ステップ１１２（Ｓ１１２）において、Ｗｅｂサーバ１２に対して、文書データあるいはそのコンテンツデータを配信する。
なお、Ｓ１１０，Ｓ１１２の処理は、必要なデータがＷｅｂページ配信サーバ５に全て配信されるまで、必要に応じて何回も行われうる。【００６１】
ステップ１２０（Ｓ１２０）において、Ｗｅｂページ配信サーバ５は、移動体通信装置２に対して、最初に液晶表示部２００（図４）に表示されるべき分割領域データなどを配信する。
ステップ１２２（Ｓ１２２）において、移動体通信装置２は、液晶表示部２００に、配信された分割領域データの画像を表示する。
ユーザは、表示された画像に応じて、移動体通信装置２に対して、液晶表示部２００に表示された画像の移動などのための操作を行う。【００６２】
ステップ１４０（Ｓ１４０）において、移動体通信装置２は、画像の移動などに伴って、新たな分割領域データが必要であると判定したときには、Ｗｅｂページ配信サーバ５に対して、必要とされた分割領域データの配信を要求する。
ステップ１４２（Ｓ１４２）において、Ｗｅｂページ配信サーバ５は、要求された分割領域データを、移動体通信装置２に配信する。
ステップ１４４（Ｓ１４４）において、移動体通信装置２は、液晶表示部２００に、配信された分割領域データの画像を表示する。
ユーザは、表示された画像に応じて、移動体通信装置２に対して、液晶表示部２００に表示された画像の移動などのための操作を行う。
なお、Ｓ１４０〜Ｓ１４４は、ユーザの操作に応じて、何度も繰り返されうる。
【産業上の利用可能性】
【００６３】
本発明は、データの配信のために利用可能である。
【図１】
2006046286.tif 000002
【図２】
2006046286.tif 000003
【図３】
2006046286.tif 000004
【図４】
2006046286.tif 000005
【図５】
2006046286.tif 000006
【図６】
2006046286.tif 000007
【図７】
2006046286.tif 000008
【図８】
2006046286.tif 000009
【図９】
2006046286.tif 000010
【図１０】
2006046286.tif 000011
【図１１】
2006046286.tif 000012
【手続補正書】
【提出日】平成17年12月26日(2005.12.26)
【手続補正１】
【補正対象書類名】特許請求の範囲
【補正対象項目名】全文
【補正方法】変更
【補正の内容】
【書類名】請求の範囲
【請求項１】  アクセスの対象となる対象データを配信する対象データ配信装置と、
前記配信された対象データの内容の表示に用いられる表示データを配信する表示データ配信装置と、
前記配信された表示データを、所定の広さの表示画面に表示するデータ表示装置と
を有するデータ配信システムであって、
前記表示データ配信装置は、
前記対象データ配信装置により配信され、前記データ表示装置にその内容が表示される前記対象データを受信する対象データ受信手段と、
前記受信された対象データの内容を、それぞれ前記表示画面よりも広くなるように複数の分割領域に分割する分割手段と、
前記分割により得られた複数の分割領域それぞれの表示に用いられる前記表示データを作成する表示データ作成手段と、
前記表示画面に表示される前記表示データを、前記データ表示装置に配信する表示データ配信手段と
を有し、
前記データ表示装置は、
前記表示データ配信装置により配信された表示データを受信する表示データ受信手段と、
前記受信された表示データの内、前記表示画面に表示される表示部分を、前記表示画面に選択的に表示するデータ表示手段と
を有する
データ配信システム。
【請求項２】  アクセスの対象となる対象データの内容の表示に用いられる表示データを配信し、配信した前記表示データの内、所定の広さの表示画面に対応する部分を、前記表示画面に選択的に表示させるデータ配信装置であって、
アクセスされ、前記表示画面にその内容が表示される前記対象データを受信する対象データ受信手段と、
前記受信された対象データの内容を、それぞれ前記表示画面よりも広くなるように複数の分割領域に分割する分割手段と、
前記分割により得られた複数の分割領域それぞれの表示に用いられる前記表示データを作成する表示データ作成手段と、
前記生成された表示データを、前記データ表示装置に配信する表示データ配信手段と
を有するデータ配信装置。
【請求項３】（削除）
【請求項４】  前記対象データの内容は、画像として表示されうるコンテンツデータを含み、前記データ表示装置は、前記分割領域に内容として含まれるコンテンツデータの画像を、このコンテンツデータの画像が、前記対象データに含まれるコンテンツデータから得られる画像において占める位置を示す分割領域位置データに従って、前記表示画面に表示し、
前記分割手段は、前記コンテンツデータの画像を、前記表示画面の広さに応じて、前記複数の分割領域に分割し、
前記表示データ生成手段は、前記分割により得られた分割領域の画像を示す画像データと、この分割領域の前記分割領域位置データとを含む前記表示データを生成し、
前記表示データ配信手段は、前記生成された表示データの内、前記表示画面に表示される前記表示データを、順次、前記データ表示装置に配信する
請求の範囲第２項に記載のデータ配信装置。
【請求項５】  前記表示データ生成手段は、前記分割により得られた分割領域の画像を、バイナリ形式で示す画像データを含む前記表示データを生成する
請求の範囲第４項に記載のデータ配信装置。
【請求項６】  前記対象データは、前記コンテンツデータの画像内の表示領城に対応付けられて表示されうる表示領域データをさらに含み、前記データ表示装置は、前記分割領域に含まれる画像に含まれる表示領域に対応付けられた表示領域データを、この分割領域に含まれる画像における表示領域の位置を示す表示領域位置データに従って、前記表示画面にさらに表示し、
前記表示データ生成手段は、前記分割領域に含まれる画像に含まれる表示領域に対応付けられた表示領域データと、この分割領域に含まれる画像における表示領域の位置を示す表示領域位置データとを含む前記表示データを生成する
請求の範囲第４項に記載のデータ配信装置。
【請求項７】  前記表示領域データは、前記データ表示装置からアクセスされうるリソースのＵＲＬである
請求の範囲第６項に記載のデータ配信装置。
【請求項８】  前記対象データは、前記データ表示装置からＵＲＬによりアクセスされうるリソースから配信される文書データである
請求の範囲第７項に記載のデータ配信装置。
【請求項９】  アクセスの対象となる対象データの内容の表示に用いられる表示データの配信を受けて、所定の広さの表示画面に表示するデータ表示装置であって、前記表示データは、前記対象データの内容を、それぞれ前記表示画面の広さよりも広くなるように分割することにより得られた複数の分割領域のいずれかの表示に用いられ、
前記配信された表示データを受信する表示データ受信手段と、
前記受信された表示データの内、前記表示画面に表示される表示部分を、前記表示画面に選択的に表示するデータ表示手段と
を有するデータ表示装置。
【請求項１０】（削除）
【請求項１１】  前記対象データは、前記表示画面に画像として表示されうるコンテンツデータを含み、前記表示データは、前記分割領域に内容として含まれるコンテンツデータの画像を示す画像データと、このコンテンツデータの画像が、前記対象データに含まれるコンテンツデータから得られる画像において占める位置を示す分割領域位置データとを含み、前記表示画面に表示される前記表示データが、順次、配信され、
前記表示データ受信手段は、前記配信された表示データを、順次、受信し、
前記データ表示手段は、前記受信された表示データに含まれる分割領域の画像データが示す画像を、この分割領域の位置を示す分割領域位置データに従って、前記表示画面に表示する
請求の範囲第９項に記載のデータ表示装置。
【請求項１２】  前記表示データに含まれる分割領域の画像データの内容は、第１の形式であり、
前記第１の形式の画像データの内容を、前記第１の形式とは異なる第２の形式の画像データに変換する変換手段
をさらに有し、
前記データ表示手段は、前記変換の結果として得られた第２の形式の画像データを、前記表示画面に表示する
請求の範囲第１１項に記載のデータ表示装置。
【請求項１３】  前記第１の形式は、バイナリ形式であり、
前記第２の形式は、ＪＰＥＧ形式およびＧＩＦ形式またはこれらのいずれかである
請求の範囲第１２項に記載のデータ表示装置。
【請求項１４】  前記表示データは、前記分割領域に含まれる画像データが示す画像に含まれる表示領域に対応付けられた表示領域データと、この分割領域に含まれる画像データが示す画像における分割領域の位置を示す表示領域位置データとをさらに含み、
前記データ表示手段は、前記分割領域に含まれる画像データが示す画像に含まれる表示領域に対応付けられた表示領域データを、この分割領域に含まれる画像データが示す画像における表示領域の位置を示す表示領域位置データに従って、前記表示画面にさらに表示する
請求の範囲第１１項に記載のデータ表示装置。
【請求項１５】  前記表示領域データは、前記データ表示装置からアクセスされうるリソースのＵＲＬである
請求の範囲第１４項に記載のデータ表示装置。
【請求項１６】  前記対象データは、前記データ表示装置からＵＲＬによりアクセスされうるリソースから配信される文書データである
請求の範囲第１１項に記載のデータ表示装置。
【請求項１７】  アクセスの対象となる対象データの内容の表示に用いられる表示データを配信し、配信した前記表示データの内、所定の広さの表示画面に対応する部分を、前記表示画面に選択的に表示させるデータ配信方法であって、
アクセスされ、前記データ表示装置にその内容が表示される前記対象データを受信し、
前記受信された対象データの内容を、それぞれ前記表示画面よりも広くなるように複数の分割領域に分割し、
前記分割により得られた複数の分割領域それぞれの表示に用いられる前記表示データを作成し、
前記生成された表示データを、前記データ表示装置に配信する
データ配信方法。
【請求項１８】  アクセスの対象となる対象データの内容の表示に用いられる表示データの配信を受けて、所定の広さの表示画面に表示するデータ表示方法であって、前記表示データは、前記対象データの内容を、それぞれ前記表示画面の広さよりも広くなるように分割することにより得られた複数の分割領域のいずれかの表示に用いられ、
前記配信された表示データを受信し、
前記受信された表示データの内、前記表示画面に表示される表示部分を、前記表示画面に選択的に表示する
データ表示方法。
【請求項１９】  アクセスの対象となる対象データの内容の表示に用いられる表示データを配信し、配信した前記表示データの内、所定の広さの表示画面に対応する部分を、前記表示画面に選択的に表示させるプログラムであって、
アクセスされ、前記データ表示装置にその内容が表示される前記対象データを受信するステップと、
前記受信された対象データの内容を、それぞれ前記表示画面よりも広くなるように複数の分割領域に分割するステップと、
前記分割により得られた複数の分割領域それぞれの表示に用いられる前記表示データを作成するステップと、
前記生成された表示データを、前記データ表示装置に配信するステップと
をコンピュータに実行させるプログラム。
【請求項２０】  アクセスの対象となる対象データの内容の表示に用いられる表示データの配信を受けて、所定の広さの表示画面に表示するプログラムであって、前記表示データは、前記対象データの内容を、それぞれ前記表示画面の広さよりも広くなるように分割することにより得られた複数の分割領域のいずれかの表示に用いられ、
前記配信された表示データを受信するステップと、
前記受信された表示データの内、前記表示画面に表示される表示部分を、前記表示画面に選択的に表示するステップと
をコンピュータに実行させるプログラム。
【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
アクセスの対象となる対象データを配信する対象データ配信装置と、
前記配信された対象データの内容の表示に用いられる表示データを配信する表示データ配信装置と、
前記配信された表示データを、所定の広さの表示画面に表示するデータ表示装置と
を有するデータ配信システムであって、
前記表示データ配信装置は、
前記対象データ配信装置により配信され、前記データ表示装置にその内容が表示される前記対象データを受信する対象データ受信手段と、
前記受信された対象データの内容を、それぞれ前記表示画面よりも広くなるように複数の分割領域に分割する分割手段と、
前記分割により得られた複数の分割領域それぞれの表示に用いられる前記表示データを作成する表示データ作成手段と、
前記表示画面に表示される前記表示データを、前記データ表示装置に配信する表示データ配信手段と
を有し、
前記データ表示装置は、
前記表示データ配信装置により配信された表示データを受信する表示データ受信手段と、
前記受信された表示データの内、前記表示画面に表示される表示部分を、前記表示画面に選択的に表示するデータ表示手段と
を有する
データ配信システム。
【請求項２】
アクセスの対象となる対象データの内容の表示に用いられる表示データを配信し、配信した前記表示データの内、所定の広さの表示画面に対応する部分を、前記表示画面に選択的に表示させるデータ配信装置であって、
アクセスされ、前記表示画面にその内容が表示される前記対象データを受信する対象データ受信手段と、
前記受信された対象データの内容を、それぞれ前記表示画面よりも広くなるように複数の分割領域に分割する分割手段と、
前記分割により得られた複数の分割領域それぞれの表示に用いられる前記表示データを作成する表示データ作成手段と、
前記生成された表示データを、前記データ表示装置に配信する表示データ配信手段と
を有するデータ配信装置。
【請求項３】
（削除）
【請求項４】
前記対象データの内容は、画像として表示されうるコンテンツデータを含み、前記データ表示装置は、前記分割領域に内容として含まれるコンテンツデータの画像を、このコンテンツデータの画像が、前記対象データに含まれるコンテンツデータから得られる画像において占める位置を示す分割領域位置データに従って、前記表示画面に表示し、
前記分割手段は、前記コンテンツデータの画像を、前記表示画面の広さに応じて、前記複数の分割領域に分割し、
前記表示データ生成手段は、前記分割により得られた分割領域の画像を示す画像データと、この分割領城の前記分割領域位置データとを含む前記表示データを生成し、
前記表示データ配信手段は、前記生成された表示データの内、前記表示画面に表示される前記表示データを、順次、前記データ表示装置に配信する
請求の範囲第２項に記載のデータ配信装置。
【請求項５】
前記表示データ生成手段は、前記分割により得られた分割領域の画像を、バイナリ形式で示す画像データを含む前記表示データを生成する
請求の範囲第４項に記載のデータ配信装置。
【請求項６】
前記対象データは、前記コンテンツデータの画像内の表示領域に対応付けられて表示されうる表示領域データをさらに含み、前記データ表示装置は、前記分割領域に含まれる画像に含まれる表示領域に対応付けられた表示領域データを、この分割領域に含まれる画像における表示領域の位置を示す表示領域位置データに従って、前記表示画面にさらに表示し、
前記表示データ生成手段は、前記分割領域に含まれる画像に含まれる表示領域に対応付けられた表示領域データと、この分割領域に含まれる画像における表示領域の位置を示す表示領域位置データとを含む前記表示データを生成する
請求の範囲第４項に記載のデータ配信装置。
【請求項７】
前記表示領域データは、前記データ表示装置からアクセスされうるリソースのＵＲＬである
請求の範囲第６項に記載のデータ配信装置。
【請求項８】
前記対象データは、前記データ表示装置からＵＲＬによりアクセスされうるリソースから配信される文書データである
請求の範囲第７項に記載のデータ配信装置。
【請求項９】
アクセスの対象となる対象データの内容の表示に用いられる表示データの配信を受けて、所定の広さの表示画面に表示するデータ表示装置であって、前記表示データは、前記対象データの内容を、それぞれ前記表示画面の広さよりも広くなるように分割することにより得られた複数の分割領域のいずれかの表示に用いられ、
前記配信された表示データを受信する表示データ受信手段と、
前記受信された表示データの内、前記表示画面に表示される表示部分を、前記表示画面に選択的に表示するデータ表示手段と
を有するデータ表示装置。
【請求項１０】
（削除）
【請求項１１】
前記対象データは、前記表示画面に画像として表示されうるコンテンツデータを含み、前記表示データは、前記分割領域に内容として含まれるコンテンツデータの画像を示す画像データと、このコンテンツデータの画像が、前記対象データに含まれるコンテンツデータから得られる画像において占める位置を示す分割領域位置データとを含み、前記表示画面に表示される前記表示データが、順次、配信され、
前記表示データ受信手段は、前記配信された表示データを、順次、受信し、
前記データ表示手段は、前記受信された表示データに含まれる分割領域の画像データが示す画像を、この分割領域の位置を示す分割領域位置データに従って、前記表示画面に表示する
請求の範囲第９項に記載のデータ表示装置。
【請求項１２】
前記表示データに含まれる分割領域の画像データの内容は、第１の形式であり、
前記第１の形式の画像データの内容を、前記第１の形式とは異なる第２の形式の画像データに変換する変換手段
をさらに有し、
前記データ表示手段は、前記変換の結果として得られた第２の形式の画像データを、前記表示画面に表示する
請求の範囲第１１項に記載のデータ表示装置。
【請求項１３】
前記第１の形式は、バイナリ形式であり、
前記第２の形式は、ＪＰＥＧ形式およびＧＩＦ形式またはこれらのいずれかである
請求の範囲第１２項に記載のデータ表示装置。
【請求項１４】
前記表示データは、前記分割領域に含まれる画像データが示す画像に含まれる表示領域に対応付けられた表示領域データと、この分割領域に含まれる画像データが示す画像における分割領域の位置を示す表示領域位置データとをさらに含み、
前記データ表示手段は、前記分割領域に含まれる画像データが示す画像に含まれる表示領域に対応付けられた表示領域データを、この分割領域に含まれる画像データが示す画像における表示領域の位置を示す表示領域位置データに従って、前記表示画面にさらに表示する
請求の範囲第１１項に記載のデータ表示装置。
【請求項１５】
前記表示領域データは、前記データ表示装置からアクセスされうるリソースのＵＲＬである
請求の範囲第１４項に記載のデータ表示装置。
【請求項１６】
前記対象データは、前記データ表示装置からＵＲＬによりアクセスされうるリソースから配信される文書データである
請求の範囲第１１項に記載のデータ表示装置。
【請求項１７】
アクセスの対象となる対象データの内容の表示に用いられる表示データを配信し、配信した前記表示データの内、所定の広さの表示画面に対応する部分を、前記表示画面に選択的に表示させるデータ配信方法であって、
アクセスされ、前記データ表示装置にその内容が表示される前記対象データを受信し、
前記受信された対象データの内容を、それぞれ前記表示画面よりも広くなるように複数の分割領域に分割し、
前記分割により得られた複数の分割領域それぞれの表示に用いられる前記表示データを作成し、
前記生成された表示データを、前記データ表示装置に配信する
データ配信方法。
【請求項１８】
アクセスの対象となる対象データの内容の表示に用いられる表示データの配信を受けて、所定の広さの表示画面に表示するデータ表示方法であって、前記表示データは、前記対象データの内容を、それぞれ前記表示画面の広さよりも広くなるように分割することにより得られた複数の分割領域のいずれかの表示に用いられ、
前記配信された表示データを受信し、
前記受信された表示データの内、前記表示画面に表示される表示部分を、前記表示画面に選択的に表示する
データ表示方法。
【請求項１９】
アクセスの対象となる対象データの内容の表示に用いられる表示データを配信し、配信した前記表示データの内、所定の広さの表示画面に対応する部分を、前記表示画面に選択的に表示させるプログラムであって、
アクセスされ、前記データ表示装置にその内容が表示される前記対象データを受信するステップと、
前記受信された対象データの内容を、それぞれ前記表示画面よりも広くなるように複数の分割領域に分割するステップと、
前記分割により得られた複数の分割領域それぞれの表示に用いられる前記表示データを作成するステップと、
前記生成された表示データを、前記データ表示装置に配信するステップと
をコンピュータに実行させるプログラム。
【請求項２０】
アクセスの対象となる対象データの内容の表示に用いられる表示データの配信を受けて、所定の広さの表示画面に表示するプログラムであって、前記表示データは、前記対象データの内容を、それぞれ前記表示画面の広さよりも広くなるように分割することにより得られた複数の分割領域のいずれかの表示に用いられ、
前記配信された表示データを受信するステップと、
前記受信された表示データの内、前記表示画面に表示される表示部分を、前記表示画面に選択的に表示するステップと
をコンピュータに実行させるプログラム。
【国際調査報告】
2006046286.tif 000013
2006046286.tif 000014
2006046286.tif 000015
2006046286.tif 000016